(57)【要約】【課題】商品収納部を取出す際、扉の回動中心に最も近い位置にある収納空間内の商品収納部が扉の基端部に干渉するのを防止することができ、自動販売機の幅を縮小することができる。【解決手段】扉１３が自動販売機本体１２の一側部に回動自在に設けられ、商品収納庫１４内が仕切板１９，２０によって複数の収納空間１５〜１７に仕切られ、収納空間１５〜１７に商品収納部２１ａ〜２３ｃが収納され、商品収納部２１ａ〜２３ｃは収納空間１５〜１７に手前側から前後方向Ａへ出し入れ可能であり、仕切板１９が前後方向Ａにおいて複数の分割仕切板３７，３８に分割されており、手前側の分割仕切板３８が商品収納庫１４に着脱自在である。【選択図】図１
2011008304.tif 000002
【特許請求の範囲】
【請求項１】
前面に開口部を形成した自動販売機本体と、開口部を開閉する扉と、自動販売機本体内に形成された商品収納庫と、商品収納庫を複数の収納空間に仕切る仕切板と、各収納空間に収納された商品収納部とを有する自動販売機であって、
扉は自動販売機本体の一側部に回動自在に設けられ、
商品収納部は収納空間に手前側から前後方向へ出し入れ可能であり、
仕切板が前後方向において複数の分割仕切板に分割されており、
最も開口部に近い手前側の分割仕切板が商品収納庫に着脱自在であることを特徴とする自動販売機。
【請求項２】
商品収納部は前後複数に分割されていることを特徴とする請求項１記載の自動販売機。
【請求項３】
商品収納部は、収納空間に設けられた第１の案内部材に案内されて前後方向へ移動自在で、且つ、第１の案内部材に対して着脱自在であることを特徴とする請求項１又は請求項２記載の自動販売機。
【請求項４】
扉の回動中心に最も近い位置にある端部の収納空間とこの収納空間の隣の収納空間とを仕切る仕切板が前後方向において複数の分割仕切板に分割されていることを特徴とする請求項１から請求項３のいずれか１項に記載の自動販売機。
【請求項５】
手前側の分割仕切板は前後方向へ出し入れ自在であり、
商品収納庫に、手前側の分割仕切板を前後方向へ案内する第２の案内部材が設けられていることを特徴とする請求項１から請求項４のいずれか１項に記載の自動販売機。
【発明の詳細な説明】
【技術分野】
【０００１】
本発明は、自動販売機本体内の商品収納庫を複数の収納空間に仕切る仕切板と、各収納空間に収納された商品収納部とを有する自動販売機に関する。
【背景技術】
【０００２】
従来、この種の自動販売機としては、例えば図１０，図１１に示すように、前面に開口部７１を形成した自動販売機本体７２と、開口部７１を開閉する扉７３と、自動販売機本体７２内に形成された商品収納庫７４と、商品収納庫７４内を複数の収納空間７５〜７７に仕切る仕切板７８，７９と、各収納空間７５〜７７に収納され且つ前後複数に分割された商品収納ラック８０〜８２とを有するものがある。
【０００３】
扉７３は、ヒンジ部８３を介して自動販売機本体７２の一側部に設けられ、ヒンジ軸８４の廻りに回動自在である。各収納空間７５〜７７の天井部には左右一対の案内レール８５が設けられ、各商品収納ラック８０〜８２は、一対の案内レール８５に吊り下げられて支持され、案内レール８５に案内されて前後方向Ａへ移動自在であり、且つ、案内レール８５に対して着脱自在である。
【０００４】
尚、各商品収納ラック８０〜８２は、セグメント（図示省略）間に形成される収納搬送路（図示省略）と、収納搬送路（図示省略）に収納された商品（図示省略）を最下端のものから払い出す商品払出装置（図示省略）とを有している。
【０００５】
また、扉７３のヒンジ部８３に最も近い位置にある一端部の収納空間７５において、商品収納庫７４の内側面８６と商品収納ラック８０との間に逃げ空間Ｓが形成されている。
これによると、商品収納ラック８０〜８２に対して修理やメンテナンス等をする場合、扉７３を開き、商品収納ラック８０〜８２を手前に抜き出す。この際、商品収納ラック８０〜８２は、案内レール８５に案内されて前方へ移動し、案内レール８５の前端から手前側へ離脱される。
【０００６】
このとき、扉７３のヒンジ軸８４に最も近い位置にある一端部の収納空間７５の前方には、開かれた扉７３のヒンジ部８３側の端部７３ａ（以下、基端部７３ａという）が存在するが、上記のように逃げ空間Ｓを形成したことによって、図１０の仮想線で示すように、商品収納ラック８０を手前に抜き出すときに、扉７３の基端部７３ａが邪魔になることはない。
【０００７】
尚、案内レールに吊り下げられて支持される商品収納ラックが備えられた自動販売機は下記特許文献１に記載され、商品収納庫内を複数の収納空間に仕切る仕切板が備えられた自動販売機は下記特許文献２に記載されている。
【先行技術文献】
【特許文献】
【０００８】
【特許文献１】特開２００８−２５７４８０号公報
【特許文献２】特開２００６−１７８８６０号公報
【特許文献３】特開平９−９１５２１号公報
【発明の概要】
【発明が解決しようとする課題】
【０００９】
しかしながら上記図１０，図１１に示した従来形式では、扉７３のヒンジ軸８４に最も近い位置にある一端部の収納空間７５の内側面８６と商品収納ラック８０との間に逃げ空間Ｓを形成する必要があるため、自動販売機７０の幅Ｗが増大するといった問題がある。
【００１０】
尚、仮に、図１２に示すように、上記逃げ空間Ｓを無くした場合、一端部の収納空間７５において商品収納ラック８０を手前に抜き出すときに、仮想線で示すように、商品収納ラック８０が扉７３の基端部７３ａに干渉して抜き出すことが困難になるという不具合が発生する。
【００１１】
また、上記のような逃げ空間Ｓを形成せず、その代わりに商品収納庫７４の一側壁７４ａの厚さＴを増大させることによっても、商品収納ラック８０が扉７３の基端部７３ａに干渉するのを防止することが可能であるが、この場合も同様に、上記一側壁７４ａの厚さＴが増大した分、自動販売機７０の幅Ｗが増大するといった問題がある。
【００１２】
さらに、上記特許文献３には、扉のヒンジ軸に最も近い位置にある一端部のストッカーを自動販売機の幅方向に傾斜させて配置し、ストッカーと扉の基端部との干渉を防止する構成が開示されているが、この場合であっても、自動販売機の幅が増大するといった問題が生じる。
【００１３】
本発明は、商品収納部を自動販売機本体内から手前に取り出す際、扉の回動中心に最も近い位置にある端部の収納空間内の商品収納部が扉の基端部に干渉するのを防止することができ、自動販売機の幅を縮小することが可能な自動販売機を提供することを目的とする。
【課題を解決するための手段】
【００１４】
上記目的を達成するために、本第１発明は、前面に開口部を形成した自動販売機本体と、開口部を開閉する扉と、自動販売機本体内に形成された商品収納庫と、商品収納庫を複数の収納空間に仕切る仕切板と、各収納空間に収納された商品収納部とを有する自動販売機であって、
扉は自動販売機本体の一側部に回動自在に設けられ、
商品収納部は収納空間に手前側から前後方向へ出し入れ可能であり、
仕切板が前後方向において複数の分割仕切板に分割されており、
最も開口部に近い手前側の分割仕切板が商品収納庫に着脱自在であることを特徴とするものである。
【００１５】
これによると、扉を開き、扉の回動中心に最も近い位置にある端部の収納空間内から商品収納部を外部に取り出す場合、先ず、上記端部の収納空間とその隣の収納空間とを仕切る仕切板の最も開口部に近い手前側の分割仕切板を取り外して外部に取り出す。これにより、上記端部の収納空間の前部とその隣の収納空間の前部とが横方向（幅方向）において連通する。
【００１６】
次に、上記端部の収納空間の隣の収納空間内に収納されている商品収納部を手前に取り出す。その後、上記端部の収納空間内に収納されている商品収納部を端部の収納空間からその隣の収納空間に向けて横移動させ、上記隣の収納空間から手前に取り出す。
【００１７】
これにより、商品収納部を自動販売機本体内から手前に取り出す際、扉の回動中心に最も近い位置にある端部の収納空間の商品収納部が扉の基端部に干渉するのを防止することができる。また、上記端部の収納空間において、商品収納部と商品収納庫の内側面との間に逃げ空間を形成する必要が無いため、自動販売機の幅を縮小することが可能であり、自動販売機の小型軽量化を図ることができる。
【００１８】
また、上記端部の収納空間以外の収納空間内から商品収納部を外部に取り出す場合、手前側の分割仕切板を取り付けたままで、商品収納部を手前に取り出せばよい。
本第２発明は、商品収納部は前後複数に分割されていることを特徴とするものである。
【００１９】
これによると、扉の回動中心に最も近い位置にある端部の収納空間内から最前位の商品収納部を外部に取り出す場合、先ず、上記端部の収納空間とその隣の収納空間とを仕切る仕切板の最も開口部に近い手前側の分割仕切板を取り外して外部に取り出す。これにより、上記端部の収納空間の前部とその隣の収納空間の前部とが横方向において連通する。
【００２０】
次に、上記端部の収納空間の隣の収納空間内に収納されている最前位の商品収納部を手前に取り出す。その後、上記端部の収納空間内に収納されている最前位の商品収納部を端部の収納空間からその隣の収納空間に向けて横移動させ、上記隣の収納空間から手前に取り出す。
【００２１】
さらに、上記端部の収納空間内の最前位から二番目以降の奥側の商品収納部も、上記と同様にして、上記端部の収納空間の隣の収納空間内から手前に取り出すことができる。
本第３発明は、商品収納部は、収納空間に設けられた第１の案内部材に案内されて前後方向へ移動自在で、且つ、第１の案内部材に対して着脱自在であることを特徴とするものである。
【００２２】
これによると、扉の回動中心に最も近い位置にある端部の収納空間内から商品収納部を外部に取り出す場合、先ず、最も開口部に近い手前側の分割仕切板を取り外して外部に取り出す。これにより、上記端部の収納空間の前部とその隣の収納空間の前部とが横方向において連通する。
【００２３】
次に、上記端部の収納空間の隣の収納空間内に収納されている商品収納部を手前に取り出す。その後、上記端部の収納空間内に収納されている商品収納部を、第１の案内部材から取り外し、上記端部の収納空間からその隣の収納空間に向けて横移動させ、上記隣の収納空間から手前に取り出す。
【００２４】
また、上記端部の収納空間以外の収納空間内から商品収納部を外部に取り出す場合、手前側の分割仕切板を取り付けたままで、商品収納部を手前に取り出せばよい。この際、商品収納部は、第１の案内部材に案内されて前方へ移動し、第１の案内部材の前端から手前側へ離脱される。
【００２５】
本第４発明は、扉の回動中心に最も近い位置にある端部の収納空間とこの収納空間の隣の収納空間とを仕切る仕切板が前後方向において複数の分割仕切板に分割されていることを特徴とするものである。
【００２６】
本第５発明は、手前側の分割仕切板は前後方向へ出し入れ自在であり、
商品収納庫に、手前側の分割仕切板を前後方向へ案内する第２の案内部材が設けられていることを特徴とするものである。
【００２７】
これによると、手前側の分割仕切板を、スムーズに前後方向へ出し入れして、商品収納庫に着脱することができる。
【発明の効果】
【００２８】
以上のように本発明によると、商品収納部を自動販売機本体内から手前に取り出す際、扉の回動中心に最も近い位置にある端部の収納空間内の商品収納部が扉の基端部に干渉するのを防止することができるとともに、自動販売機の幅を縮小することができる。
【図面の簡単な説明】
【００２９】
【図１】本発明の実施の形態における自動販売機の内部を示す概略平面図である。
【図２】同、自動販売機の内部を示す概略正面図である。
【図３】同、自動販売機の内部を示す側面図である。
【図４】同、自動販売機の仕切板の斜視図である。
【図５】図２におけるＸ−Ｘ矢視図である。
【図６】図５におけるＸ−Ｘ矢視図である。
【図７】図５におけるＹ−Ｙ矢視図である。
【図８】同、自動販売機から商品収納ラックを取り出す手順を示す図である。
【図９】同、自動販売機から商品収納ラックを取り出す手順を示す図である。
【図１０】従来の自動販売機の内部を示す概略平面図である。
【図１１】同、自動販売機の内部を示す概略正面図である。
【図１２】同、自動販売機の内部を示す概略平面図であり、逃げ空間を形成していない構成を示す。
【発明を実施するための形態】
【００３０】
以下、本発明における実施の形態を、図面を参照して説明する。
図１，図２に示すように、１は缶やペットボトル入り飲料等の商品２を冷却或いは加温して販売する自動販売機である。自動販売機１は、前面に開口部１１を形成した四角箱状の自動販売機本体１２（ケース）と、開口部１１を開閉する扉１３と、自動販売機本体１２内に形成された商品収納庫１４と、商品収納庫１４内を複数の収納空間１５〜１７に仕切る複数の仕切板１９，２０と、各収納空間１５〜１７に収納され且つ前後複数に分割された商品収納ラック２１ａ〜２１ｃ，２２ａ〜２２ｃ，２３ａ〜２３ｃ（商品収納部の一例）とを有する。
【００３１】
扉１３は、外扉２４と、外扉２４の内側に設けられた断熱扉２５とで構成されており、ヒンジ部２６を介して自動販売機本体１２の左右一側部に設けられ、回動中心である上下方向のヒンジ軸２７の廻りに回動自在である。
【００３２】
商品収納庫１４は、上下一対の天板部２８および底板部２９と、左右一対の側板部３０，３１と、背板部３２とを有している。尚、上記各板部２８〜３２は断熱材で構成されている。天板部２８には、各収納空間１５〜１７毎に、左右一対のＪ形状の第１の案内レール３３，３４（第１の案内部材の一例）が設けられている。
【００３３】
また、各商品収納ラック２１ａ〜２１ｃ，２２ａ〜２２ｃ，２３ａ〜２３ｃはそれぞれ、一対の第１の案内レール３３，３４に吊り下げられて支持され、第１の案内レール３３，３４に案内されて前後方向Ａへ移動自在であり、且つ、第１の案内レール３３，３４に対して着脱自在である。
【００３４】
また、図３に示すように、各商品収納ラック２１ａ〜２１ｃ，２２ａ〜２２ｃ，２３ａ〜２３ｃは、内部に、投入口５２から投入された商品２を収納し且つ下方へ搬送する収納搬送路５３と、収納搬送路５３内の商品２を最下端のものから一つずつ払い出す払出装置５４とを有している。尚、収納搬送路５３は、商品収納ラック２１ａ〜２１ｃ，２２ａ〜２２ｃ，２３ａ〜２３ｃの側面をなす左右一対の側板５５間に、円弧状のセグメント５６が対向するように上下に複数並べられて形成される。
【００３５】
各商品収納ラック２１ａ〜２１ｃ，２２ａ〜２２ｃ，２３ａ〜２３ｃは、上端部に、左右一対の逆Ｊ形状の係合部材３５，３６を有している。係合部材３５，３６は、上方から案内レール３３，３４に係合しており、案内レール３３，３４に対して前後方向Ａへ摺動可能である。
【００３６】
尚、最前位の商品収納ラック２１ａ，２２ａ，２３ａはラック固定手段（図示省略）によって商品収納庫１４に固定される。
図１，図２，図４〜図７に示すように、扉１３のヒンジ軸２７（回動中心）に最も近い位置にある一端部の収納空間１５とこの収納空間１５の横隣の収納空間１６とを仕切る一方の仕切板１９は、前後方向Ａにおいて、二枚の分割仕切板３７，３８に分割されている。
【００３７】
このうち、奥側の分割仕切板３７は、商品収納庫１４の天板部２８に設けられたＬ形状の固定部材３９に、ねじ４０（連結手段）で連結固定されている。尚、図４に示すように、奥側の分割仕切板３７の上下両端縁と後端縁とには密封用の緩衝材４１が設けられており、これにより、分割仕切板３７の上端縁と天板部２８との間および分割仕切板３７の下端縁と底板部２９との間および分割仕切板３７の後端縁と背板部３２との間が密封される。
【００３８】
また、手前側（最も開口部に近い側）の分割仕切板３８の上端部は、上記固定部材３９に、ねじ４３（連結手段）で連結固定されている。さらに、手前側の分割仕切板３８の前縁部の下端には固定板４４が設けられ、固定板４４は底板部２９の前縁部にねじ４５（連結手段）で連結固定されている。これにより、上記ねじ４３，４５を用いて、手前側の分割仕切板３８を商品収納庫１４に着脱することができる。
【００３９】
商品収納庫１４の底板部２９には、手前側の分割仕切板３８を前後方向Ａへ案内するＬ形状の第２の案内レール４８（第２の案内部材の一例）が左右一対設けられている。手前側の分割仕切板３８の下端部は、両第２の案内レール４８間に上方から挿入され、第２の案内レール４８に沿って前後方向Ａへ摺動自在である。
【００４０】
図４に示すように、手前側の分割仕切板３８の上下両端縁と後端縁とには密封用の緩衝材４９が設けられており、これにより、分割仕切板３８の上端縁と天板部２８との間および分割仕切板３８の下端縁と底板部２９との間および分割仕切板３８と分割仕切板３７との間が密封される。
【００４１】
尚、上記分割仕切板３７，３８は断熱材で構成されている。また、自動販売機本体１２内には冷却・加温装置５８が設けられ、冷却・加温装置５８によって各収納空間１５〜１７がそれぞれ冷却又は加温される。
【００４２】
以下、上記構成における作用を説明する。
扉１３のヒンジ軸２７に最も近い位置にある一端部の収納空間１５から最前位の商品収納ラック２１ａを外部に取り出す場合、先ず、図８（ａ）に示すように、扉１３を開き、ねじ４３，４５を外して、手前側の分割仕切板３８を商品収納庫１４から引き出して自動販売機本体１２の外部に取り出す。この際、手前側の分割仕切板３８は第２の案内レール４８によって前後方向Ａへ案内されるため、手前側の分割仕切板３８をスムーズに手前へ引き出すことができる。これにより、一端部の収納空間１５の前部とその隣の収納空間１６の前部とが横方向（幅方向）において連通する。
【００４３】
次に、上記隣の収納空間１６において、ラック固定手段による最前位の商品収納ラック２２ａの固定を解除し、図８（ｂ）に示すように、上記隣の収納空間１６に収納されている最前位の商品収納ラック２２ａを手前に移動して自動販売機本体１２の外部に取り出す。この際、商品収納ラック２２ａは第１の案内レール３３，３４に案内されて前方へ移動し、第１の案内レール３３，３４の前端から手前側へ離脱される。
【００４４】
その後、一端部の収納空間１５において、ラック固定手段による最前位の商品収納ラック２１ａの固定を解除し、図２の仮想線で示すように、一端部の収納空間１５に収納されている最前位の商品収納ラック２１ａを上方Ｂへ持ち上げるとともに横方向Ｃへ移動して、係合部材３５，３６を第１の案内レール３３，３４から離脱させる。これにより、最前位の商品収納ラック２１ａを第１の案内レール３３，３４から取り外すことができる。
【００４５】
そして、図９（ａ）に示すように、上記最前位の商品収納ラック２１ａを、一端部の収納空間１５からその隣の収納空間１６に向けて横移動させ、図９（ｂ）に示すように、上記隣の収納空間１６から手前に取り出す。
【００４６】
さらに、一端部の収納空間１５の最前位から二番目以降の奥側の商品収納ラック２１ｂ，２１ｃも、上記と同様にして、隣の収納空間１６から手前に取り出すことができる。
これにより、一端部の収納空間１５の商品収納ラック２１ａ〜２１ｃを自動販売機本体１２内から手前に取り出す際、商品収納ラック２１ａ〜２１ｃが扉１３の基端部１３ａに干渉するのを防止することができる。また、一端部の収納空間１５において、商品収納ラック２１ａ〜２１ｃと商品収納庫１４の側板部３０の内側面との間に逃げ空間を形成する必要が無いため、自動販売機１の幅Ｗを縮小することが可能であり、自動販売機１の小型軽量化を図ることができる。
【００４７】
上記のようにして取り出した商品収納ラック２１ａ〜２１ｃを一端部の収納空間１５に戻す場合は、取り出しとは逆の手順を行えばよい。この際、手前側の分割仕切板３８の下端部を両第２の案内レール４８間に手前側から挿入して奥側へ押し込む。このとき、手前側の分割仕切板３８は第２の案内レール４８によって前後方向Ａへ案内されるため、手前側の分割仕切板３８をスムーズに奥側へ押し込むことができる。その後、ねじ４３，４５を取り付けて、分割仕切板３８の上下両端部を天板部２８と底板部２９とに固定する。
【００４８】
また、一端部の収納空間１５以外の各収納空間１６，１７から各商品収納ラック２２ａ〜２２ｃ，２３ａ〜２３ｃを外部に取り出す場合、図１に示すように、扉１３を開き、手前側の分割仕切板３８を装着したままで、各商品収納ラック２２ａ〜２２ｃ，２３ａ〜２３ｃを手前に取り出せばよい。この際、各商品収納ラック２２ａ〜２２ｃ，２３ａ〜２３ｃは、第１の案内レール３３，３４に案内されて前方へ移動し、第１の案内レール３３，３４の前端部から手前側へ離脱される。
【００４９】
上記実施の形態では、図１に示すように、二枚の仕切板１９，２０を設けて、三つの収納空間１５〜１７を形成したが、仕切板１９を一枚設けて、二つの収納空間１５，１６を形成してもよい。また、仕切板を三枚以上の複数枚設け、四つ以上の複数の収納空間を形成してもよい。
【００５０】
上記実施の形態では、各収納空間１５〜１７に、前後三分割された各商品収納ラック２１ａ〜２１ｃ，２２ａ〜２２ｃ，２３ａ〜２３ｃを収納したが、前後に分割されていない商品収納ラックを収納してもよい。また、前後三分割以外の複数分割された商品収納ラックを収納してもよい。
【００５１】
上記実施の形態では、図２に示すように、商品収納ラック２１ａ〜２１ｃ，２２ａ〜２２ｃ，２３ａ〜２３ｃは第１の案内レール３３，３４に支持案内されて前後方向Ａへ移動自在であるが、第１の案内レール３３，３４を設けず、商品収納ラック２１ａ〜２１ｃ，２２ａ〜２２ｃ，２３ａ〜２３ｃを商品収納庫１４の天板部２８に着脱自在に取り付けた構成でもよい。
【符号の説明】
【００５２】
１      自動販売機
１１    開口部
１２    自動販売機本体
１３    扉
１４    商品収納庫
１５〜１７    収納空間
１９，２０    仕切板
２１ａ〜２１ｃ，２２ａ〜２２ｃ，２３ａ〜２３ｃ    商品収納ラック（商品収納部）
２７    ヒンジ軸（回動中心）
３３，３４    第１の案内レール（第１の案内部材）
３７，３８    分割仕切板
４８    第２の案内レール（第２の案内部材）
Ａ    前後方向
【図１】
2011008304.tif 000003
【図２】
2011008304.tif 000004
【図３】
2011008304.tif 000005
【図４】
2011008304.tif 000006
【図５】
2011008304.tif 000007
【図６】
2011008304.tif 000008
【図７】
2011008304.tif 000009
【図８】
2011008304.tif 000010
【図９】
2011008304.tif 000011
【図１０】
2011008304.tif 000012
【図１１】
2011008304.tif 000013
【図１２】
2011008304.tif 000014